(57)【特許請求の範囲】
【請求項１】
ＵＳＢＴｙｐｅＣの接続口である第１接続口と、
ＵＳＢＴｙｐｅＣ以外のＵＳＢの接続口である第２接続口と、
電力供給配線の接続口である第３接続口と、
前記第１接続口と前記第２接続口との通信線を接続する通信配線と、
前記第１接続口と前記第３接続口との電力線を接続する電力配線と、を有し、
前記電力配線は、
前記第１接続口に接続されたホストから供給された電力に基づいて、前記第３接続口に接続されたデバイスに供給する電力を生成する電源回路を備える、変換装置。
【請求項２】
前記電源回路は、
前記第１接続口に接続された配線を介して前記ホストに電力のプロファイルデータを出力する、請求項１に記載の変換装置。
【請求項３】
前記電源回路は、
前記第１接続口に接続された前記ホストから供給された電力に基づいて、前記プロファイルデータに対応して記憶していた電圧の電力を生成する昇降圧回路を備える、請求項２に記載の変換装置。
【請求項４】
前記電源回路は、
前記第３接続口に対するコネクタの接続を検知する接続検知回路を備え、
前記接続検知回路によって前記第３接続口に対する前記コネクタの接続が検知された場合に前記第３接続口に対する電力の供給を開始する、請求項１〜請求項３のいずれかに記載の変換装置。
【請求項５】
ＵＳＢＴｙｐｅＣの接続口である第１接続口と、
ＵＳＢＴｙｐｅＣ以外のＵＳＢの接続口である第２接続口と、
電力供給配線の接続口である第３接続口と、
前記第１接続口と前記第２接続口との通信線を接続する通信配線と、
前記第１接続口と前記第３接続口との電力線を接続する電力配線と、を有し、
前記通信配線は、
前記通信線によって伝達される信号を整形するリドライバ回路を備える、変換装置。
【発明の詳細な説明】
【技術分野】
【０００１】
本発明は、変換装置に関する。
【背景技術】
【０００２】
従来、ＵＳＢ（Universal Serial Bus）規格においては種々の種類（Ｔｙｐｅ）が規定されている。近年、ＵＳＢＴｙｐｅＣ（非特許文献１参照）という規格が規定され、普及し始めている。
【先行技術文献】
【非特許文献】
【０００３】
USB Type-C Cable and Connector Specification［2015年12月28日検索］、インターネット〈URL：http://www.usb.org/developers/usbtypec/〉
【発明の概要】
【発明が解決しようとする課題】
【０００４】
既存の規格と互換性のない規格が規定されると、一方の規格のみに対応した機器で他方の規格のみに対応した機器を使用することができない。
本発明は、複数規格間の互換性を確保する技術を提供することを目的とする。
【課題を解決するための手段】
【０００５】
上記目的を達成するための変換装置は、ＵＳＢＴｙｐｅＣの接続口である第１接続口と、ＵＳＢＴｙｐｅＣ以外のＵＳＢの接続口である第２接続口と、電力供給配線の接続口である第３接続口と、前記第１接続口と前記第２接続口との通信線を接続する通信配線と、前記第１接続口と前記第３接続口との電力線を接続する電力配線と、を備える。
【０００６】
すなわち、変換装置には、第１接続口によってＵＳＢＴｙｐｅＣの配線、第２接続口によってＵＳＢＴｙｐｅＣ以外のＵＳＢ規格の配線、第３接続口によって電力供給配線を接続可能である。従って、異なる２種類のＵＳＢ規格の配線を変換装置に接続可能であるとともに、電力供給配線を変換装置に接続可能である。
【０００７】
また、変換装置が備える通信配線は第１接続口と第２接続口との通信線を接続しているため、各接続口に接続されるＵＳＢＴｙｐｅＣとＵＳＢＴｙｐｅＣ以外のＵＳＢとにおける通信線が変換装置によって接続された状態となる。変換装置が備える電力配線は、第１接続口と第３接続口との電力線を接続しているため、各接続口に接続されるＵＳＢＴｙｐｅＣとＵＳＢＴｙｐｅＣ以外のＵＳＢとにおける電力線が変換装置によって接続された状態となる。
【０００８】
この結果、変換装置は、第１接続口に接続されたＵＳＢＴｙｐｅＣから通信線と電力線とを分岐し、第２接続口に接続されたＵＳＢＴｙｐｅＣ以外のＵＳＢに対する通信と、第３接続口に接続された電子機器に対する電力供給とを行うことができる。従って、変換装置は、ＵＳＢＴｙｐｅＣによって接続される電子機器とＵＳＢＴｙｐｅＣ以外のＵＳＢによって接続される電子機器との間で通信を行わせることができる。また、変換装置は、ＵＳＢＴｙｐｅＣによって電子機器と第３接続口に接続される電子機器との間で電力の授受を行わせることができる。このため、複数規格間の互換性を確保することができる。
【図面の簡単な説明】
【０００９】
【図１】図１Ａは本発明の実施形態にかかる変換装置の使用態様を説明する説明図であり、図１Ｂは変換装置の構成を示す図であり、図１Ｃ〜図１Ｆは信号波形の例を示す図である。
【図２】図２Ａは制御回路のフローチャートであり、図１Ｂは変換装置の構成を示す図である。
【発明を実施するための形態】
【００１０】
ここでは、下記の順序に従って本発明の実施の形態について説明する。
（１）変換装置の使用態様：
（１−１）変換装置の構成：
（２）制御回路の処理：
（３）他の実施形態：
【００１１】
（１）変換装置の使用態様：
図１Ａは、本発明の実施形態にかかる変換装置１０の使用態様を説明する説明図である。本実施形態にかかる変換装置１０には、ホスト２０とデバイス３０とが接続される。変換装置１０とホスト２０とはＵＳＢＴｙｐｅＣの規格で接続される。すなわち、変換装置１０はＵＳＢＴｙｐｅＣの接続口である第１接続口１０ａを備え、ホスト２０はＵＳＢＴｙｐｅＣの接続口２０ａを備えている。従って、ＵＳＢＴｙｐｅＣの配線が備えるＵＳＢＴｙｐｅＣの一方のコネクタが第１接続口１０ａに接続され、他方のコネクタが接続口２０ａに接続されることにより、変換装置１０とホスト２０とがＵＳＢＴｙｐｅＣの配線によって接続される。
【００１２】
変換装置１０とデバイス３０とはＵＳＢＴｙｐｅＡの規格で接続される。すなわち、変換装置１０はＵＳＢＴｙｐｅＡの接続口である第２接続口１０ｂを備え、デバイス３０はＵＳＢＴｙｐｅＡの接続口３０ｂを備えている。従って、ＵＳＢＴｙｐｅＡの配線が備えるＵＳＢＴｙｐｅＡの一方のコネクタが第２接続口１０ｂに接続され、他方のコネクタが接続口３０ｂに接続されることにより、変換装置１０とデバイス３０とがＵＳＢＴｙｐｅＡの配線によって接続される。
【００１３】
さらに、変換装置１０とデバイス３０とは電力線によって接続される。すなわち、変換装置１０は電力供給配線の接続口である第３接続口１０ｃを備え、デバイス３０は電力供給配線の接続口３０ａを備えている。従って、当該電力供給配線の一方のコネクタが変換装置１０の第３接続口１０ｃ、他方のコネクタが接続口３０ａに接続されることにより、変換装置１０からデバイス３０に電力を供給することができる。
【００１４】
（１−１）変換装置の構成：
図１Ｂは、ＳｕｐｅｒＳｐｅｅｄ規格に対応した通信を実行可能なホスト２０およびデバイス３０とともに使用される変換装置１０の構成を示す図である。変換装置１０は、電源回路１１とリドライバ回路１２とを備えている。電源回路１１は、第１接続口１０ａに接続されたホスト２０から供給された電力に基づいて、第３接続口１０ｃに接続されたデバイス３０に供給する電力を生成する機能を有しており、制御回路１１ａと昇降圧回路１１ｂとを備えている。
【００１５】
制御回路１１ａは、第１接続口１０ａに対して（ＣＣピンにて）接続する配線と、昇降圧回路１１ｂおよび第３接続口１０ｃと接続する配線とを備える。制御回路１１ａは、所定の手順に従って所定の機能を実行する回路（例えば、ＣＰＵ，ＲＡＭ，ＲＯＭ等を備える回路）である。制御回路１１ａは、第３接続口１０ｃに対して接続する配線を介して当該第３接続口１０ｃに対するコネクタ挿入の有無を検知することができる。
【００１６】
さらに、制御回路１１ａは、第１接続口１０ａに接続された当該配線を介してホスト２０に電力のプロファイルデータを出力することができる。すなわち、本実施形態においては、制御回路１１ａの備える図示しない記憶媒体にデバイス３０の要求仕様に応じたプロファイルデータが予め記憶されている。制御回路１１ａが、当該プロファイルデータを第１接続口１０ａに出力すると、第１接続口１０ａに接続されたホスト２０は当該プロファイルデータを取得する。そして、ホスト２０は、当該プロファイルデータが示す電力を接続口２０ａから出力する。この結果、ＵＳＢＴｙｐｅＣの配線を介して当該電力が第１接続口１０ａから入力され、昇降圧回路１１ｂに対して供給される。
【００１７】
従って、本実施形態によれば、ＵＳＢＴｙｐｅＣのホスト２０が電力供給（Ｐｏｗｅｒ  Ｄｅｌｉｖｅｒｙ）を行うために通常必要とするプロファイルデータを変換装置１０から供給することができる。このため、デバイス３０がＵＳＢＴｙｐｅＣ（Ｐｏｗｅｒ  Ｄｅｌｉｖｅｒｙ）規格に対応していなくても、変換装置１０からホスト２０に対して出力電力を指示することができる。
【００１８】
なお、本実施形態において、当該プロファイルデータはデバイス３０の要求仕様に応じて規定されており、デバイス３０の要求仕様における電圧に最も近い電圧をホスト２０から出力させ、後述する昇降圧回路１１ｂにおける電圧変換の損失を抑制するように構成されている。例えば、デバイス３０の要求仕様において電圧が４８Ｖである場合、ホスト２０から電圧の上限値である２０Ｖを出力させるように予めプロファイルが定義され、制御回路１１ａに記憶されている。
【００１９】
さらに、制御回路１１ａと昇降圧回路１１ｂとは、通信線および電力線で接続されており、制御回路１１ａは、通信線を介して昇降圧回路１１ｂに対して出力電力（例えば、電圧の値）等を指示する制御信号を出力することができる。また、制御回路１１ａは、昇降圧回路１１ｂの電力線を介して制御回路１１ａが駆動するための電力（本実施形態においては５Ｖの直流電力）の供給を受ける。
【００２０】
昇降圧回路１１ｂは、第１接続口１０ａに接続されたホストから供給された電力に基づいて、プロファイルデータに対応して記憶していた電圧の電力を生成する回路である。本実施形態において、昇降圧回路１１ｂは、第１接続口１０ａに対して（Ｐｏｗｅｒピンにて）接続する配線と、第３接続口１０ｃに対して接続する配線と、制御回路１１ａと接続する配線とを備える。
【００２１】
昇降圧回路１１ｂは、第１接続口１０ａに接続された配線を介して入力される電力に基づいて電圧を昇圧または降圧した電力を生成する。本実施形態において、出力電力の電圧等は制御回路１１ａからの指示に基づいて決定される。本実施形態においては、制御回路１１ａの備える図示しない記憶媒体にデバイス３０の電力の要求仕様が予め記憶されている。
【００２２】
制御回路１１ａは、プロファイルデータに基づいて第１接続口１０ａから供給される電力と、デバイス３０が要求する電力とが異なる場合、前者の電力から後者の電力を生成させるように昇降圧回路１１ｂに対して指示する。この結果、昇降圧回路１１ｂは、例えば、入力電圧をデバイス３０の要求仕様に応じた電力を生成する。プロファイルデータに基づいて第１接続口１０ａから供給される電力と、デバイス３０が要求する電力とが同一である場合、昇降圧回路１１ｂは、電圧の変換を行わない。
【００２３】
本実施形態において、制御回路１１ａは、昇降圧回路１１ｂに対して電力の出力を開始するように指示を行うことができる。制御回路１１ａは、上述のように、第３接続口１０ｃに対するコネクタの接続を検知する接続検知回路として機能するため、制御回路１１ａが第３接続口１０ｃに対するコネクタの接続を検知すると、昇降圧回路１１ｂに対して電力の出力開始指示を行う。この結果、第３接続口１０ｃに接続されたコネクタおよび当該コネクタから延びる配線を介して当該第３接続口１０ｃに接続されたデバイス３０に電力が供給される。この構成によれば、電力供給を受けるべき配線が変換装置１０に接続されていない状態で第３接続口１０ｃに電圧が印加されることを防止することができる。
【００２４】
また、以上の構成によれば、デバイス３０の要求仕様に応じた電力を変換装置１０から出力することができる。また、デバイス３０の電力の要求仕様がＵＳＢＴｙｐｅＣの仕様を超える場合（例えば、電圧値がＵＳＢＴｙｐｅＣの上限である２０Ｖを超える場合）であっても、デバイス３０が要求する仕様の電力を変換装置から供給することができる。なお、昇降圧回路１１ｂは、第１接続口１０ａに接続された配線を介して入力される電力に基づいて、既定の電圧（本実施形態においては５Ｖ）の直流電力を生成して出力することができる。生成された電力は、制御回路１１ａおよび第２接続口１０ｂに対して供給される。
【００２５】
リドライバ回路１２は、第１接続口１０ａおよび第２接続口１０ｂに対して通信線について接続されており、第１接続口１０ａから第２接続口１０ｂに伝送される（または第２接続口１０ｂから第１接続口１０ａに伝送される）信号波形を整える回路である。当該リドライバ回路１２は、信号周波数が高く高周波損失が無視できない信号、例えば、ＳｕｐｅｒＳｐｅｅｄ規格での信号に対して適用されることが好ましい。
【００２６】
具体的には、ホスト２０から図１Ｃに示す波形の高周波信号が図１Ｂに示す第１接続口１０ａにＡ側から入力した場合、図１Ｂに示す第１接続口１０ａのＢ側において図１Ｄ、リドライバ回路１２の直前（図１Ｂに示すＣ側）において図１Ｅのように、信号波形が崩れる場合があり、このような信号波形の変化は高周波信号において顕著である。しかし、図１Ｂに示すリドライバ回路１２が存在すると、図１Ｅに示すように変形した信号を図１Ｆに示すように整形して図１ＢのＤ側に出力することができる。
【００２７】
一方、デバイス３０から図１Ｃに示す波形の高周波信号が図１Ｂに示す第１接続口１０ｂにａ側から入力した場合、図１Ｂに示す第１接続口１０ｂのｂ側において図１Ｄ、リドライバ回路１２の直前（図１Ｂに示すｃ側）において図１Ｅのように、信号波形が崩れる場合があり、このような信号波形の変化は高周波信号において顕著である。しかし、図１Ｂに示すリドライバ回路１２が存在すると、図１Ｅに示すように変形した信号を図１Ｆに示すように整形して図１Ｂのｄ側に出力することができる。従って、本実施形態によれば、高周波信号であるＳｕｐｅｒＳｐｅｅｄ規格の信号をホスト２０とデバイス３０との間で適正に伝送することができ、適正に通信を行わせることができる。
【００２８】
以上のように変換装置１０は、第２接続口１０ｂに接続されたデバイス３０とホスト２０との間の通信を中継することができる。従って、変換装置１０は、ＵＳＢＴｙｐｅＣを使用するホスト２０とＵＳＢＴｙｐｅＣ以外のＵＳＢを使用するデバイス３０との間で通信を行わせることができる。また、変換装置１０は、第３接続口１０ｃに接続されたデバイス３０に対してホスト２０から電力を供給することができ、デバイス３０に対してＡＣアダプター等を使用しなくても電力を供給することができる。また、変換装置１０が、ホスト２０から供給された電力をデバイス３０で利用可能な電力に変換するため、ホスト２０とデバイス３０とでＵＳＢの規格が異なる場合であってもホスト２０からデバイス３０に電力を供給することが可能になる。このため、変換装置１０によれば、複数規格間の互換性を確保することができる。
【００２９】
（２）制御回路の処理：
図２Ａは、制御回路１１ａの処理を示すフローチャートである。本実施形態においては、変換装置１０に対してホスト２０が接続され、第１接続口１０ａを介してホスト２０からデフォルトの電力が供給され、当該電力に基づいて昇降圧回路１１ｂから制御回路１１ａに５Ｖの直流電力が供給されることによって、制御回路１１ａが図２Ａに示す処理を開始する。また、ここでは、デバイス３０における電力の要求仕様として４８Ｖの直流電力が規定されている例を想定する。
【００３０】
当該処理において、制御回路１１ａは、第３接続口１０ｃに対してデバイス３０のコネクタが接続されているか否かを検知する（ステップＳ１００）。ステップＳ１００において、第３接続口１０ｃに対してデバイス３０のコネクタが接続されていると判定されない場合、制御回路１１ａは一定時間毎にステップＳ１００の判定を繰り返す。
【００３１】
ステップＳ１００において、第３接続口１０ｃに対してデバイス３０のコネクタが接続されていると判定された場合、制御回路１１ａは、図示しない記憶媒体を参照し、ホスト２０へプロファイルデータを出力する（ステップＳ１１０）。ホスト２０が当該プロファイルデータを取得すると、ホスト２０は変換装置１０に対してプロファイルデータが示す電力を出力する。本例においては、デバイス３０において４８Ｖの直流電力が必要であるため、プロファイルデータは上限電圧である２０Ｖの電力（５Ａ）を示している。従って、ホスト２０が当該プロファイルデータを取得すると、ＵＳＢＴｙｐｅＣの配線を介して第１接続口１０ａに対して２０Ｖ，５Ａの直流電力を供給する。
【００３２】
次に、制御回路１１ａは、昇降圧回路１１ｂに出力電圧を指示する（ステップＳ１１５）。すなわち、制御回路１１ａは、図示しない記憶媒体を参照し、デバイス３０の要求仕様の電力を出力するように昇降圧回路１１ｂに制御信号を出力する。例えば、デバイス３０において４８Ｖの直流電力が必要である例において、制御回路１１ａは、昇降圧回路１１ｂに対して４８Ｖの直流電力を出力するように指示する。この結果、昇降圧回路１１ｂは、デバイス３０の要求仕様通りの電力を生成する状態となる。
【００３３】
次に、制御回路１１ａは、昇降圧回路１１ｂに出力開始を指示する（ステップＳ１２０）。この結果、昇降圧回路１１ｂは、第３接続口１０ｃからデバイス３０の要求仕様通りの電力を出力する。次に、制御回路１１ａは、ステップＳ１００以降の処理を繰り返す。ただし、ステップＳ１００が繰り返しの過程で実行され、第３接続口１０ｃに対してデバイス３０のコネクタが接続されていると判定されなかった場合、すなわち第３接続口１０ｃのコネクタが抜かれた場合、制御回路１１ａは、昇降圧回路１１ｂにおける電力の変換と電力の出力を停止させてステップＳ１００の処理を繰り返す。
【００３４】
（３）他の実施形態：
以上の実施形態は本発明を実施するための一例であり、変換装置において異なる規格のＵＳＢの通信線を接続し、一方の規格のＵＳＢの電力線を利用して電力を授受できるようにする限りにおいて、他にも種々の実施形態を採用可能である。
【００３５】
例えば、変換装置１０はリドライバ回路１２を備えていたが、伝送される信号が高周波損失の影響を無視できる信号、例えば、Ｈｉｇｈ  Ｓｐｅｅｄ規格の信号であれば、リドライバ回路１２を省略することができる。図２Ｂは、図１Ｂに示す変換装置１０からリドライバ回路１２を省略して構成した変換装置１００の構成を示している。同図２Ｂに示す構成において、図１Ｂに示す符号と同一の符号で示す構成要素は図１Ｂに示す構成と同様の構成である。
【００３６】
このように、リドライバ回路１２が省略されていても、低周波信号であれば、波形整形を行うことなく信号を伝送することができる。従って、図２Ｂに示すように、図１Ｂと同等の電源回路１１を使用してホスト２０から供給される電力を必要に応じて変換してデバイス３０に供給することにより、複数規格間の互換性を確保ことが可能な変換装置１００を提供することができる。
【００３７】
さらに、第１接続口は、ＵＳＢＴｙｐｅＣの接続口であれば良い。従って、ＵＳＢＴｙｐｅＣのコネクタが接続され、通信が実施できるように（電力の授受が可能であっても良い）コネクタの挿入部の形状や端子が配置されていれば良い。あるいは、ホスト２０のＵＳＢＴｙｐｅＣの接続口にケーブルを介さずに直接接続するようになっていてもよい。
【００３８】
第２接続口は、ＵＳＢＴｙｐｅＣ以外のＵＳＢの接続口であれば良い。従って、ＵＳＢＴｙｐｅＣ以外のＵＳＢ規格のコネクタが接続され、通信および電力の授受が実施できるようにコネクタの挿入部の形状や端子が配置されていれば良い。ＵＳＢＴｙｐｅＣ以外のＵＳＢ規格としては、例えば、ＵＳＢＴｙｐｅＡ、ＢやミニＵＳＢＴｙｐｅＡ，Ｂ，ＡＢ、マイクロＵＳＢＴｙｐｅＡ，Ｂ，ＡＢ等が挙げられる。また、デバイス３０のＵＳＢの接続口にケーブルを介さずに直接接続するようになっていてもよい。
【００３９】
第３接続口は、電力供給配線の接続口であればよい。すなわち、当該接続口に接続された電子機器と変換装置との間で電力を授受することができればよい。第３接続口の形状や端子は、各種の規格に応じた態様とすることが可能である。また、デバイス３０の電力供給配線の接続口にケーブルを介さずに直接接続するようになっていてもよい。
【００４０】
通信配線は、第１接続口と第２接続口との通信線を接続することができればよい。すなわち、第１接続口に接続されたＵＳＢＴｙｐｅＣの電子機器と、第２接続口に接続されたＵＳＢＴｙｐｅＣ以外のＵＳＢの電子機器との間で通信を実行することができるように配線が形成されていれば良い。むろん、通信配線には各種の回路、例えば、ＳｕｐｅｒＳｐｅｅｄ規格等の通信における信号波形を整えるリドライバ（リピーター）回路等が含まれていても良い。
【００４１】
電力配線は、第１接続口と第３接続口との電力線を接続することができればよい。すなわち、第１接続口に接続されたＵＳＢＴｙｐｅＣの電子機器から第３接続口に接続された電子機器との間で電力を授受することができるように配線が形成されていれば良い。むろん、電力配線には各種の回路、例えば、第３接続口に接続された電子機器で必要とされる電力の仕様（電圧、電流等）に応じた電力を生成するための電源回路等が含まれていても良い。また、ホスト２０がデバイス３０の要求する電力の仕様に応じた電力を供給できるのであれば、昇降圧回路１１ｂを用いずに、直接第１接続口と第３接続口との電力線を接続してもよいし、電力供給のＯＮ／ＯＦＦを切り換えるスイッチだけを介してもよい。
【００４２】
具体的には、電力配線が、第１接続口に接続されたホストから供給された電力に基づいて、第３接続口に接続されたデバイスに供給する電力を生成する電源回路を備える構成を採用可能である。この構成によれば、変換装置が、ホストから供給された電力をデバイスで利用可能な電力に変換するため、ホストとデバイスとでＵＳＢの規格が異なる場合であってもホストからデバイスに電力を供給することが可能になる。
【００４３】
さらに、電源回路が、第１接続口に接続された配線を介してホストに電力のプロファイルデータを出力する構成を備えていても良い。この構成によれば、ＵＳＢＴｙｐｅＣのホストが電力供給（Ｐｏｗｅｒ  Ｄｅｌｉｖｅｒｙ）を行うために通常必要とするプロファイルデータを変換装置から供給することができる。従って、デバイスがＵＳＢＴｙｐｅＣ（Ｐｏｗｅｒ  Ｄｅｌｉｖｅｒｙ）規格に対応していなくても、変換装置からホストに出力電力を指示することができる。
【００４４】
なお、プロファイルデータは、変換装置が備える記憶媒体に記憶されていれば良く、既定のプロファイルデータが記憶されていても良いし、利用者の操作やデバイスとの通信等に基づいて書き換え可能であっても良い。例えば、上述の図１Ｂに示す構成において、制御回路１１ａ等が書き換え可能なＥＥＰＲＯＭ等を備える構成とし、当該ＥＥＰＲＯＭ等にプロファイルデータが記憶される構成とする。この構成において、プロファイルデータを利用者の操作や変換装置１０に接続された電子機器の指示等に基づいて書き換え可能であれば、種々のデバイス３０に対応した変換装置１０を提供することができる。
【００４５】
さらに、電源回路が、第１接続口に接続されたホストから供給された電力に基づいて、プロファイルデータに対応して記憶していた電圧の電力を生成する昇降圧回路を備えていてもよい。この構成によれば、デバイスの電力の要求仕様がＵＳＢＴｙｐｅＣの仕様を超える場合（例えば、電圧値がＵＳＢＴｙｐｅＣの規格の上限である２０Ｖを超える場合）であっても、デバイスが要求する仕様の電力を変換装置から供給することができる。なお、デバイスが必要とする電力の要求仕様は、変換装置が備える記憶媒体に記憶されていれば良く、既定の要求仕様が記憶されていても良いし、利用者の操作やデバイスとの通信等に基づいて書き換え可能であっても良い。また、変換装置１０にスイッチを設けるなどで、ユーザーに接続するデバイスの種類や出力する電圧値を入力させることで、入力に応じた電圧を生成するようにしてもよい。
【００４６】
さらに、電源回路が、第３接続口に対するコネクタの接続を検知する接続検知回路を備え、当該接続検知回路によって第３接続口に対するコネクタの接続が検知された場合に第３接続口に対する電力の供給を開始する構成であっても良い。この構成によれば、電力供給を受けるべき配線が変換装置に接続されていない状態で第３接続口に電圧が印加されることを防止することができる。
【００４７】
さらに、以上のように、変換装置において異なる規格のＵＳＢの通信線を接続し、一方の規格のＵＳＢの電力線を利用して電力を授受できるようにする手法は、方法としても実現可能である。
【符号の説明】
【００４８】
１０…変換装置、１０ａ…第１接続口、１０ｂ…第２接続口、１０ｃ…第３接続口、１１…電源回路、１１ａ…制御回路、１１ｂ…昇降圧回路、１２…リドライバ回路、２０…ホスト、２０ａ…接続口、３０…デバイス、３０ａ…接続口、３０ｂ…接続口
【図１】
0006610303.tif 000002
【図２】
0006610303.tif 000003